(57)【要約】【課題】使用者の満足度を向上させることのできるトイレ収納箱を提供すること。【解決手段】トイレ収納箱（１）は、上下方向に延びる仕切部材（２４）を有する棚本体（２）と、棚本体に対して横方向に移動可能に取り付けられた第１および第２の扉（３３，３４）とを備える。仕切部材（２４）は、第１の扉（３３）と第２の扉（３４）との境界位置から横方向他方側にずれた位置に配置されている。そのため、第１の収納空間（１３）は、第１の扉（３３）が全開位置に位置し、かつ、第２の扉（３４）が全閉位置に位置する状態において、外部に露出する露出空間（１３ａ）と、露出空間と仕切部材との間に位置して第２の扉（３４）によって隠される隠蔽空間（１３ｂ）とを有する。この隠蔽空間（１３ｂ）は、第２の扉（３４）が全開位置に位置する状態においても、第２の扉（３４）によって隠される。【選択図】図４
2019010138.tif 000002
【特許請求の範囲】
【請求項１】
トイレ室に設置される収納箱であって、
上下方向に延びる仕切部材を境界として横方向一方側および他方側にそれぞれ配置された第１の収納空間および第２の収納空間を含む棚本体と、
前記第１の収納空間の前方に位置し、前記棚本体に対して横方向に移動可能に取り付けられた第１の扉と、
前記第２の収納空間の前方に位置し、前記棚本体に対して横方向に移動可能に取り付けられた第２の扉とを備え、
前記仕切部材は、前記第１の扉と前記第２の扉との境界位置から横方向他方側にずれた位置に配置されており、
前記第１の収納空間は、前記第１の扉が全開位置に位置し、かつ、前記第２の扉が全閉位置に位置する状態において、外部に露出する露出空間と、前記露出空間と前記仕切部材との間に位置して前記第２の扉によって隠される隠蔽空間とを有し、
前記隠蔽空間は、前記第２の扉が全開位置に位置する状態においても、前記第２の扉によって隠される、トイレ収納箱。
【請求項２】
前記第２の扉の横方向一方方向への移動を、当該第２の扉の横方向他方端部と前記仕切部材とが整列する位置で停止させる移動規制手段をさらに備える、請求項１に記載のトイレ収納箱。
【請求項３】
前記第１の扉および前記第２の扉が全閉位置に位置する状態において、前記第１の扉の前面および前記第２の扉の前面は面一状である、請求項１または２に記載のトイレ収納箱。
【請求項４】
前記第１の扉は、全閉位置から全開位置まで横方向一方方向に向かって平行移動可能となるように、アーム型のスライドヒンジを介して前記棚本体に連結されており、
前記第２の扉は、前記第１の扉が開放状態である場合に、全閉位置から全開位置まで横方向一方方向に直線状にスライド移動可能である、請求項３に記載のトイレ収納箱。
【請求項５】
前記第１の扉の横幅寸法と前記第２の扉の横幅寸法とは略同一寸法であり、
前記第２の収納空間の横幅寸法は、前記第１の収納空間の横幅寸法の２／３以下である、請求項１〜４のいずれかに記載のトイレ収納箱。
【請求項６】
前記隠蔽空間の横幅寸法は、５０ｍｍ以上である、請求項１〜５のいずれかに記載のトイレ収納箱。
【請求項７】
前記第１の収納空間は、横方向に延びる棚板を有し、
前記露出空間および前記隠蔽空間が共通の前記棚板によって上下方向に仕切られる、請求項１〜６のいずれかに記載のトイレ収納箱。
【発明の詳細な説明】
【技術分野】
【０００１】
本発明は、トイレ室に設置されるトイレ収納箱に関する。
【背景技術】
【０００２】
住宅のトイレ室には、トイレ内で使用する物品を収納するためのトイレ収納箱が設置される。いわゆるオープン棚のようなトイレ収納箱の場合、収納物が丸見えとなるため、棚本体の前面には扉を設けることが望ましい。棚本体の前面に、一般的な開き扉を互いに隣接して配置する場合、閉鎖状態において扉の前面が略面一となるため、引き違いタイプの扉とするよりも美観が向上するという利点がある。その一方で、開き扉の場合、扉の開閉時に便器に干渉しないようにする必要があるため、トイレ収納箱の設置の自由度が制限される。
【０００３】
このような問題を解消するために、特開２０１０−１２５０６２号公報（特許文献１）に示されるように、棚本体の前面側に横方向に並設された第１扉および第２扉の前面を面一としながら、第１扉および第２扉を横方向に移動可能としたキャビネットが従来から提案されている。具体的には、第１扉が、棚本体に対して前面側にスイングしつつ横方向にスライド移動可能に棚本体に取り付けられ、第２扉が、第１扉が開放された状態で、その第１扉があった横方向にスライド移動して開放されるように棚本体に取り付けられている。
【先行技術文献】
【特許文献】
【０００４】
【特許文献１】特開２０１０−１２５０６２号公報
【発明の概要】
【発明が解決しようとする課題】
【０００５】
トイレ収納箱には、一般的に、買い置きしておいたトイレットペーパーや芳香剤などの余剰品、清掃用の洗剤や道具の他、女性用のサニタリー用品など、他人にはあまり見られたくない物（以下「サニタリー用品」という）も収納される。特許文献１のようなトイレ収納箱から物品を取り出す場合、第１扉を全開状態とすると第１扉の奥の収納空間全体が露出し、第２扉を全開状態とすると第２扉の奥の収納空間全体が露出する。
【０００６】
そのため、たとえば余剰品を取り出すために第１扉または第２扉を開放すると、サニタリー用品も丸見えとなってしまうため、外部から隠した状態でサニタリー用品を収納するためには、たとえば不透明の箱や袋に入れた状態で収納しなくてはならない。この場合、サニタリー用品を使用する度に箱や袋からの出し入れが必要となるため、使用者の手間が増える。したがって、使用者は煩わしさを感じる。
【０００７】
本発明は、上記のような課題を解決するためになされたものであって、その目的は、使用者の満足度を向上させることのできるトイレ収納箱を提供することである。
【課題を解決するための手段】
【０００８】
この発明のある局面に従うトイレ収納箱は、トイレ室に設置される収納箱であって、上下方向に延びる仕切部材を境界として横方向一方側および他方側にそれぞれ配置された第１の収納空間および第２の収納空間を含む棚本体と、第１の収納空間の前方に位置し、棚本体に対して横方向に移動可能に取り付けられた第１の扉と、第２の収納空間の前方に位置し、棚本体に対して横方向に移動可能に取り付けられた第２の扉とを備える。仕切部材は、第１の扉と第２の扉との境界位置から横方向他方側にずれた位置に配置されている。そのため、第１の収納空間は、第１の扉が全開位置に位置し、かつ、第２の扉が全閉位置に位置する状態において、外部に露出する露出空間と、露出空間と仕切部材との間に位置して第２の扉によって隠される隠蔽空間とを有する。この隠蔽空間は、第２の扉が全開位置に位置する状態においても、第２の扉によって隠される。
【０００９】
好ましくは、トイレ収納箱は、第２の扉の横方向一方方向への移動を、当該第２の扉の横方向他方端部と仕切部材とが整列する位置で停止させる移動規制手段をさらに備える。
【００１０】
好ましくは、第１の扉および第２の扉が全閉位置に位置する状態において、第１の扉の前面および第２の扉の前面は面一状である。
【００１１】
好ましくは、第１の扉は、全閉位置から全開位置まで横方向一方方向に向かって平行移動可能となるように、アーム型のスライドヒンジを介して棚本体に連結されており、第２の扉は、第１の扉が開放状態である場合に、全閉位置から全開位置まで横方向一方方向に直線状にスライド移動可能である。
【００１２】
好ましくは、第１の扉の横幅寸法と第２の扉の横幅寸法とは略同一寸法である。この場合、第２の収納空間の横幅寸法は、第１の収納空間の横幅寸法の２／３以下であることが望ましい。
【００１３】
また、隠蔽空間の横幅寸法は、５０ｍｍ以上であることが望ましい。あるいは、隠蔽空間の横幅寸法は、第２の収納空間の横幅寸法の１／３以上であることが望ましい。
【００１４】
第１の収納空間は、横方向に延びる棚板を有し、露出空間および隠蔽空間が共通の棚板によって上下方向に仕切られていてもよい。
【発明の効果】
【００１５】
本発明のトイレ収納箱において、第１の扉の奥に位置する第１の収納空間は、第１の扉が全開された場合、および、第２の扉が全開された場合のいずれにおいても、第２の扉によって隠される隠蔽空間を有する。そのため、この隠蔽空間にたとえばサニタリー用品を収納しておくことで、サニタリー用品の少なくとも一部分を常に隠すことができる。したがって、本発明によれば、使用者の満足度を向上させることが可能となる。
【図面の簡単な説明】
【００１６】
【図１】本実施の形態に係るトイレ収納箱がトイレ室に設置された状態を模式的に示す図である。
【図２】本実施の形態において、トイレ室内に設置されたトイレ収納箱の横断面である。
【図３】（Ａ）は、第１および第２の扉が閉鎖された状態におけるトイレ収納箱の正面図であり、（Ｂ）は、第１および第２の扉が取り外された状態におけるトイレ収納箱の正面図である。
【図４】第１の扉が全開状態かつ第２の扉が全閉状態である場合におけるトイレ収納箱の正面図である。
【図５】第１および第２の扉が全開状態である場合におけるトイレ収納箱の正面図である。
【図６】（Ａ），（Ｂ）は、第１の扉に取り付けられたスライドヒンジの一例を示す斜視図である。
【発明を実施するための形態】
【００１７】
本発明の実施の形態について図面を参照しながら詳細に説明する。なお、図中同一または相当部分には同一符号を付してその説明は繰返さない。
【００１８】
（トイレ収納箱の概略構成について）
はじめに、図１および図２を参照して、本実施の形態に係るトイレ収納箱１の概略構成について説明する。図１は、トイレ室９内に設置されたトイレ収納箱１の外観を模式的に示す図である。図２は、トイレ室９内に設置されたトイレ収納箱１の横断面である。
【００１９】
図１および図２に示されるように、トイレ室９は、便器９０の後方に位置する後壁９１と、便器９０の前方に位置する前壁９２と、後壁９１および前壁９２に横方向両端が接続された一対の側壁９３，９４とにより区画された部屋である。トイレ室９は、たとえば住宅内に設けられる。
【００２０】
本実施の形態において、トイレ収納箱１は、トイレ室９の床９５の上に、一方の側壁９３に沿って配置されている。トイレ収納箱１は、側壁９３の略全幅に亘って配置されており、トイレ収納箱１の横方向における一部分（図１においてＩＩＩで示す部分）だけが、便器９０の側部に対面した状態で配置されている。図２には、トイレ収納箱１の前方方向が矢印Ａ１で示され、トイレ収納箱１の横方向（左右方向）が矢印Ａ２で示されている。なお、ここでは、トイレ収納箱１を正面から見て左方向が、横方向一方方向であり、右方向が、横方向他方方向であるものとする。
【００２１】
トイレ収納箱１は、棚本体２と、棚本体２の前面に配置される複数の扉３１，３２，３３，３４とを備える。複数の扉３１〜３４が全閉位置に位置する状態において、これら扉３１〜３４の前面は面一状である。これにより、トイレ収納箱１の美観が向上する。
【００２２】
棚本体２は、トイレ室９の後壁９１および前壁９２にそれぞれ対面する一対の側板２１と、一対の側板２１の上端に連結された天板２５とによってその外郭が形成されている。床９５から天板２５の上面までの高さはたとえば７００ｍｍ〜１０００ｍｍ程度であるため、天板２５はカウンターとしても機能する。天板２５の一部には、手洗い器５が設けられていてもよい。
【００２３】
棚本体２には、一対の側板２１間に、互いに間隔をあけて配置された複数の仕切部材２２，２３，２４が設けられている。仕切部材２２，２３，２４は上下方向に延び、棚本体２の内部空間を横方向に仕切る。これにより、棚本体２の内部空間は、複数の収納空間１１，１２，１３，１４に分割される。
【００２４】
収納空間１１は、横方向において隣り合う左側の側板２１と仕切部材２２との間に位置し、その前方に扉３１が配置される。収納空間１２は、横方向において隣り合う仕切部材２２，２３の間に位置し、その前方に扉３２が配置される。収納空間１３は、横方向において隣り合う仕切部材２３，２４の間に位置し、その前方に扉３３が配置される。収納空間１４は、横方向において隣り合う仕切部材２４と右側の側板２１との間に位置し、その前方に扉３４が配置される。
【００２５】
相対的に左側に位置する扉３１，３２は、便器９０の真横の位置ではなく、トイレ収納箱１を正面側から見た場合（側壁９４側から見た場合）、便器９０の位置と重ならない。そのため、扉３１，３２を、回転軸を中心として回転する一般的な開き扉としても、便器９０に干渉しない。図示した例では、扉３１はいわゆる観音開き扉であり、左右２枚の扉３１ａ，３１ｂにより構成される。扉３２は、たとえば右側端部に設けられた回転軸を中心として開閉可能に取り付けられている。なお、便器９０の位置と重ならない位置に設けられる扉は、扉３２の上部に設けられた引き出し３５のように、引き出し式としてもよい。
【００２６】
これに対し、相対的に右側に位置する扉３３，３４は、便器９０の真横の位置に配置され、トイレ収納箱１を正面側から見た場合、便器９０の位置と重なる。そのため、扉３３，３４は、開閉時に便器９０に干渉しないように、棚本体２に対して横方向に移動可能に取り付けられている。以下の説明において、左側の扉３３を第１の扉３３、右側の扉３４を第２の扉３４という。
【００２７】
第１の扉３３は、アーム型のスライドヒンジ４を介して棚本体２に連結されている。そのため、第１の扉３３は、図２の想像線で示すように、全閉位置から全開位置まで左方向に向かって平行移動可能である。第２の扉３４は、第１の扉３３が全開位置に位置する状態において、全閉位置から全開位置まで左方向に直線状にスライド移動可能である。第２の扉３４は、たとえば、棚本体２に設けられたスライドレール（図示せず）に沿ってスライド移動する。
【００２８】
第１の扉３３のスライドヒンジ４としては、たとえば、特開２０１２−６７５９８号公報に記載されたスライドヒンジ（スガツネ工業株式会社）を用いることができる。図６（Ａ）には、全閉状態におけるスライドヒンジ４が示され、図６（Ｂ）には、全開状態におけるスライドヒンジ４が示されている。
【００２９】
図６に示されるように、第１の扉３３は、上下２つのスライドヒンジ４を介して棚本体２の仕切部材２３に支持されている。各スライドヒンジ４は、仕切部材２３に固定された棚側ユニット４４と、第１の扉３３の裏面３３ａに固定された扉側ユニット４５と、これらのユニット４４，４５間に設けられた第１、第２、および第３リンク４１，４２，４３とを有している。また、上側に配置されたスライドヒンジ４の第１リンク４１と、下側に配置されたスライドヒンジ４の第１リンク４１とは、互いに同期して回転するよう、互いの同一箇所が連結板４６によって連結されている。これにより、２つのスライドヒンジ４が互いに補強されている。
【００３０】
第１の扉３３は、このようなスライドヒンジ４によって、左隣の扉３２と右隣の第２の扉３４との間の全閉位置から、前方側にスイングしつつ左方向に平行移動可能となる。第１の扉３３は、全開位置において、左側の扉３２の前方に位置する。第２の扉３４は、第１の扉３３が開放状態である場合に、左方向にスライド移動可能である。
【００３１】
図２に示されるように、第１の扉３３の奥の収納空間１３（以下「第１の収納空間１３」という）は便器９０の着座部（便座）９０ａの真横に位置する。また、第２の扉３４の奥の収納空間１４（以下「第２の収納空間１４」という）は便器９０の着座部９０ａよりも後方のタンク部９０ｂの真横に位置する。便器９０の着座部９０ａに座った状態で手が届き得る第１の収納空間１３は、使用頻度が高い物品（たとえばトイレットペーパーなど）用の収納空間として用いることができる。便器９０の真横の収納空間が一つの大空間として形成される場合、使用者の手が届き難い空間（タンク部９０ｂの真横の空間）がデッドスペースとなるが、本実施の形態では、仕切部材２４によって、便器９０の真横の収納空間が左右に分割されているため、タンク部９０ｂの真横の第２の収納空間１４を、使用頻度の低い物品（たとえば芳香剤などの余剰品）用の収納空間として活用することができる。
【００３２】
ここで、一般的なトイレ収納箱においては、横方向移動する扉が全開状態であれば、その奥の収納空間の略全体が露出する。これに対し、本実施の形態のトイレ収納箱１においては、第１および第２の扉３３，３４が全開状態であっても露出することなく隠される空間、すなわち隠蔽空間を設けている。このような隠蔽空間について、以下に詳細に説明する。
【００３３】
（隠蔽空間について）
図３〜図５を参照して、トイレ収納箱１に設けられた隠蔽空間について説明する。図３（Ａ）は、第１および第２の扉３３，３４が閉鎖された状態におけるトイレ収納箱１の正面図であり、図３（Ｂ）は、第１および第２の扉３３，３４が取り外された状態におけるトイレ収納箱１の正面図である。図４は、第１の扉３３が全開状態かつ第２の扉３４が全閉状態である場合におけるトイレ収納箱１の正面図であり、図５は、第１の扉３３および第２の扉３４が全開状態である場合におけるトイレ収納箱１の正面図である。なお、図３〜図５には、図１のＩＩＩ部分を含むトイレ収納箱１の一部が拡大して示されている。また、図３〜図５において、全閉状態における第１および第２の扉３３，３４の境界位置が一点鎖線で示されている。
【００３４】
図３（Ｂ）に示されるように、第１および第２の収納空間１３，１４を仕切る仕切部材２４は、第１および第２の扉３３，３４の境界位置から右側（横方向他方側）にずれた位置に配置されている。そのため、第１の収納空間１３の横幅寸法Ｌ３は第１の扉３３の横幅寸法Ｌ１よりも大きく、第２の収納空間１４の横幅寸法Ｌ４は第２の扉３４の横幅寸法Ｌ２よりも小さい。
【００３５】
仕切部材２４がずれて配置されることにより、便器９０の着座部９０ａの真横に位置する第１の収納空間１３を、タンク部９０ｂの真横に位置する第２の収納空間１４よりも大きくすることができる。したがって、トイレ収納箱１の内部空間を効率的に使用することが可能となる。
【００３６】
また、仕切部材２４がずれて配置されることにより、図４に示されるように、第１の扉３３が全開位置に位置する場合に、第１の収納空間１３のうちの一部分が露出し、残りの部分が第２の扉３４によって隠される。つまり、第１の収納空間１３は、第１の扉３３が全開位置に位置し、かつ、第２の扉３４が全閉位置に位置する状態において、外部に露出する露出空間１３ａと、第２の扉３４によって隠される隠蔽空間１３ｂとを有する。
【００３７】
隠蔽空間１３ｂは、露出空間１３ａと仕切部材２４との間に位置する空間であり、露出空間１３ａと仕切りなく連通している。そのため、図３（Ｂ）に示されるように、第１の収納空間１３は、横方向に延びる少なくとも１つの棚板７１を有する場合、露出空間１３ａおよび隠蔽空間１３ｂが共通の棚板７１によって上下方向に仕切られる。
【００３８】
本実施の形態では、第１および第２の扉３３，３４の横幅寸法Ｌ１，Ｌ２は略同一寸法である。この場合、第２の収納空間１４の横幅寸法Ｌ４は、第１の収納空間１３の横幅寸法Ｌ３の２／３以下であることが望ましく、１／２以下であることがさらに望ましい。隠蔽空間１３ｂの横幅寸法Ｌ６は、露出空間１３ａの横幅寸法Ｌ５未満であるが、仕切部材２４を介して隣接する第２の収納空間１４の横幅寸法Ｌ４の１／３以上であることが望ましい。
【００３９】
なお、第１および第２の扉３３，３４の横幅寸法Ｌ１，Ｌ２の大きさが比較的大きい場合などにおいては、隠蔽空間１３ｂの横幅寸法Ｌ６は、第２の収納空間１４の横幅寸法Ｌ４の１／３未満であってもよい。また、第１および第２の扉３３，３４の横幅寸法Ｌ１，Ｌ２は、互いに異なっていてもよい。いずれの場合であっても、隠蔽空間１３ｂの横幅寸法Ｌ６は、５０ｍｍ以上１５０ｍｍ以下であることが望しく、８０ｍｍ以上であることがより望ましい。
【００４０】
ここで、図５に示されるように、この隠蔽空間１３ｂは、第２の扉３４が全開位置に位置する状態においても、第２の扉３４によって隠される。つまり、トイレ収納箱１には、第２の扉３４の左方向への移動を途中で停止させるためのストッパ６が設けられている。
【００４１】
ストッパ６は、第２の扉３４の左方向への移動を、当該第２の扉３４の右端部（横方向他方端部）３４ａと仕切部材２４とが整列する位置で停止させる移動規制手段である。このようなストッパ６が設けられるため、図５に示されるように、第２の扉３４は、全開位置においても第１の扉３３の右端部から離れている。このように、第２の扉３４の可動範囲を制限することにより、第２の扉３４が、第１の扉３３の裏面３３ａに設けられたスライドヒンジ４に干渉することも防止できる。
【００４２】
ストッパ６は、たとえば、第２の扉３４用のレール６０内に設けられた、いわゆるキャッチ付きストッパである。この場合、第２の扉３４の開方向（左方向）の移動は、第２の扉３４の左端部がストッパ６に当たった時点で停止し、その位置で保持される。なお、第２の扉３４の裏面上端には、レール６０に係合する金具（図示せず）が取り付けられており、仕切部材２４の上端には、この金具との干渉を避けるための切欠き部２４ａが設けられている。
【００４３】
このようなストッパ６が第２の扉３４用に設けられているため、第２の扉３４が全開位置に位置する状態において、第２の収納空間１４の全体を露出可能としつつ、第１の収納空間１３の隠蔽空間１３ｂを第２の扉３４によって隠すことが可能となる。なお、第２の収納空間１４においても、横方向に延びる少なくとも１つの棚板７２が設けられていてもよい。
【００４４】
このように、第１の収納空間１３の一部に、常に第２の扉３４によって隠される隠蔽空間１３ｂが形成される。そのため、第１の収納空間１３のうち隠蔽空間１３ｂに収納された物品を、外部から見えなくすることができる。図３（Ｂ）には、第１および第２の収納空間１３，１４に収納された収納物が概念的に示されている。
【００４５】
第１の収納空間１３のうち、露出空間１３ａに、余剰品であるトイレットペーパー８１が収納され、隠蔽空間１３ｂには、他人に見られたくないような物品、たとえばサニタリー用品８２が収納されている。つまり、使用者は、サニタリー用品８２を第１の収納空間１３に隠して仕舞うことができる。また、隠蔽空間１３ｂの横幅が比較的小さく、サニタリー用品８２の全体が隠蔽空間１３ｂに収まらずに露出空間１３ａに食み出す場合であっても、少なくとも一部が常に隠されるため、サニタリー用品８２が丸見えとなるよりも使用者の満足度を高めることができる。
【００４６】
また、本実施の形態では、図２に示されるように、隠蔽空間１３ｂは、便器９０の着座部９０ａの真横において、露出空間１３ａの右隣に配置されている。つまり、露出空間１３ａよりも便器９０の後方寄り（タンク部９０ｂ寄り）に配置されている。そのため、第１の扉３３が全開位置に位置する状態において、使用者は、便器９０の着座部９０ａに座ったまま、露出空間１３ａに手を突っ込み、便器９０の後方側に手を回り込ませることによって、隠蔽空間１３ｂから収納物を取り出すことができる。したがって、本実施の形態によれば、第１の収納空間１３の使い勝手を低下させることなく、サニタリー用品８２を隠して仕舞うことができる。
【００４７】
以上説明したトイレ収納箱１によれば、棚本体２の内部の全収納空間をフル活用できるとともに、便器９０の真横の第１の収納空間１３に、サニタリー用品などを隠して仕舞える『気遣いのある収納スペース』としての隠蔽空間１３ｂが形成される。そのため、トイレ室９を使用する使用者（住宅の居住者）の満足度を向上させることができる。
【００４８】
なお、本実施の形態において、第２の扉３４は、第１の扉３３が全開位置に位置する状態においてのみ開放可能な扉であることとしたが、第１の扉３３が全閉位置に位置する状態においても開放可能な扉であってもよい。たとえば、第１および第２の扉は、直線状にスライド移動する引き違い戸を構成してもよい。
【００４９】
また、第１および第２の扉３３，３４が、便器９０の真横に位置する扉であることとしたが、限定的ではない。第１および第２の扉３３，３４は、トイレ収納箱１を正面側から見て、便器９０と重ならない位置に位置する扉であってもよい。あるいは、トイレ収納箱１は、トイレ室９の床９５に設置されるカウンタータイプのキャビネットであることとしたが、限定的ではなく、吊り下げタイプのキャビネットであってもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
１  トイレ収納箱、２  棚本体、４  スライドヒンジ、５  手洗い器、６  ストッパ、９  トイレ室、１１〜１４  収納空間、１３ａ  露出空間、１３ｂ  隠蔽空間、２１  側板、２２〜２４  仕切部材、２５  天板、３１〜３４  扉、７１，７２  棚板、９０  便器、９１  壁、９１  後壁、９２  前壁、９３，９４  側壁、９５  床。
【図１】
2019010138.tif 000003
【図２】
2019010138.tif 000004
【図３】
2019010138.tif 000005
【図４】
2019010138.tif 000006
【図５】
2019010138.tif 000007
【図６】
2019010138.tif 000008